(57)【要約】【課題】スモーク色やハーフミラーなどで表示部を隠蔽している従来の表示装置では得ることができない、表示の点灯時にだけ表面に目的のマークを表示できる新しい表示装置を提供することを目的とする。【解決手段】本発明の表示装置は、光源層２４ａから出射した光が、遮蔽層３の透光部７ａ，７ｂ，７ｃを通過して突き板１の背面に照射される。光源層２４ａからの光がある場合には、突き板１を透過した光で突き板１の表面に表示しようとするマーク１１ａ，１１ｂ，１１ｃを表示できる。光源層２４ａからの光が無い場合には、突き板１の表面などの木目を確認できるがマークが表示されない。そのため、車載表示機器、家電表示機器などの表示部品などにおいて、点灯時にマーク１１ａ，１１ｂ，１１ｃが浮かび上がる表示デザインが木の突き板外観で演出可能になる。デザイン差別化の求められる表示装置やスイッチ機能付き表示装置が提供できる。【選択図】図１
2018190668.tif 000002
【特許請求の範囲】
【請求項１】
光が透過する木の突き板と、
表示しようとするマークに対応した位置に透光部が形成され、前記突き板の背面に配置された隠蔽層と、
前記透光部に対応した位置に光源を有し、前記隠蔽層の前記突き板とは反対側に配置された光源層とを有する、表示装置。
【請求項２】
前記突き板の光透過率が５０％以上、８０％以下でかつ肉厚が０．１ｍｍ以上、０．５ｍｍ以下であることを特徴とする、請求項１記載の表示装置。
【請求項３】
前記突き板の前記隠蔽層とは反対側の表面に、木目調の模様で厚さが２μｍ以上、２０μｍ以下の光透過性の木目印刷層を設けたことを特徴とする、請求項１記載の表示装置。
【請求項４】
前記隠蔽層と前記光源層の間に、表示したいマークとしての複数セグメント文字の各セグメントに対応した導光路を有するインサートブロックを設けたことを特徴とする、
請求項１〜請求項３の何れかに記載の表示装置。
【請求項５】
静電検出用の電極パターンを有した検出電極層を、前記突き板の背面側に設け、
耐水性を有する耐水層を、前記検出電極層と前記突き板の間に設けたことを特徴とする、請求項１〜請求項４の何れかに記載の表示装置。
【請求項６】
前記突き板の表面に、環状または円弧状または直線状の凹部溝を形成し、
前記検出電極層の電極パターンが少なくとも前記凹部溝に沿って形成されていることを特徴とする、請求項５記載の表示装置。
【請求項７】
漂白処理状態の前記突き板の表面に前記木目印刷層を設けたことを特徴とする、
請求項３記載の表示装置。
【発明の詳細な説明】
【技術分野】
【０００１】
本発明は、車載表示機器、家電表示機器などの表示装置に関するものである。
【背景技術】
【０００２】
従来より、点灯時表示機能を持つ車載表示機器、家電表示機器などでは、視認性のあるマークや表示部を、通常時は、光源を消灯して見えにくくして、表示をする場合は光源を点灯表示して各種機器の操作情報などを提供している。
【０００３】
これら表示装置の中には、利用者が何らかの操作をすることにより表示部の背面側を照らして表示部の視認性を高める照明装置（バックライト）が設けられているものがある。利用者が操作をしないと、照明装置が消灯して表示部が消えたブラックアウトのままの状態に維持されており表示部を見えにくくすることで機器の意匠性を高めていた。
【０００４】
特許文献１には、利用者がスイッチ操作面に近づくとバックライトが点灯し、表示パネルの表面にある光透過パターンを浮かび上がらせ、その浮かび上がった部分に利用者の指が触れると別の光透過パターンが点灯され、この光透過パターンの輝度や色などを変化させる静電容量式スイッチ装置が開示されている。この構成を図９に示す。
【０００５】
図９の表示装置は、利用者が近付く意匠板３１と、この背面に設けられた表示用マスク板３２，第１光源としてのバックライト３３，検知電極３４，第２光源３５とで構成されている。利用者の指が意匠板３１に近づくと、検知電極３４との間の静電容量変化を検出してバックライト３３の光源３３ａがオンしてバックライト導光板３６が第１のパターンで点灯する。
【０００６】
これによって表示用マスク板３２の光透過パターン３２ａが意匠板３１の表面３１ａに浮かび上って表示される。
【０００７】
利用者の指が意匠板３１に表示されている光透過パターン３２に接触すると、検知電極３４との間の静電容量変化を検出して第２光源３５が第２のパターンで点灯する。これによって意匠板３１に浮かび上がった光透過パターン３２ａの輝度、色などが変化することによりスイッチがオン状態になったことなどを利用者が確認できる。
【０００８】
また、特許文献２には、意匠性の改善としてスイッチ操作面が消えたブラックアウトのままの状態であっても、表示装置の中のマーク等が見えてしまう課題に対しては、ホログラムなどを利用するものが開示されている。この構成を図１０（ａ）（ｂ）に示す。
【０００９】
図１０（ａ）（ｂ）の表示装置４０は、筐体４１と、筐体４１内に保持され表示マークが記録されたホログラム４２と、筐体４１の外からホログラムの方を見る位置に配置されたスモーク部材４３と、ホログラム４２に参照光を照射する参照光源４４とで構成されている。参照光源４４により照明を行わない場合は、スモーク部材４３を通して表示マークが筐体４１の外部から見えない状態（ブラックアウト状態）となる。参照光源４４により照明を行った場合には、スモーク部材４３を通して表示マーク４５が筐体４１の外部から見える状態となる。
【先行技術文献】
【特許文献】
【００１０】
【特許文献１】特開２００６−１２８０１９号公報
【特許文献２】特開２０１２−２１５７７０号公報
【発明の概要】
【発明が解決しようとする課題】
【００１１】
しかし、これら従来例では、表示部表面をスモーク色やハーフミラーなどのいかにも表示部を隠蔽しているデザイン意匠にする必要があり、表示部を浮かび上がらせて驚きなどを演出したいデザイン側の考えに合わなくなってきている。
【００１２】
本発明は、前記従来の課題や要請を解決するもので、スモーク色やハーフミラーなどで表示部を隠蔽している従来の表示装置では得ることができない、表示の点灯時にだけ表面に目的のマークを表示できる新しい表示装置を提供することを目的とする。
【課題を解決するための手段】
【００１３】
上記目的を達成するために、本発明の表示装置は、光が透過する木の突き板と、表示しようとするマークに対応した位置に透光部が形成され、前記突き板の背面に配置された隠蔽層と、前記透光部に対応した位置に光源を有し、前記隠蔽層の前記突き板とは反対側に配置された光源層とを有することを特徴とする。
【００１４】
また、前記突き板の光透過率が５０％以上、８０％以下でかつ肉厚が０．１ｍｍ以上、０．５ｍｍ以下であることを特徴とする。
【００１５】
また、前記突き板の前記隠蔽層とは反対側の表面に、木目調の模様で厚さが２μｍ以上、２０μｍ以下の光透過性の木目印刷層を設けたことを特徴とする。
【００１６】
また、前記隠蔽層と前記光源層の間に、表示したいマークとしての複数セグメント文字の各セグメントに対応した導光路を有するインサートブロックを設けたことを特徴とする。
【００１７】
また、静電検出用の電極パターンを有した検出電極層を、前記突き板の背面側に設け、耐水性を有する耐水層を、前記検出電極層と前記突き板の間に設けたことを特徴とする。
【００１８】
また、前記突き板の表面に、環状または円弧状または直線状の凹部溝を形成し、前記検出電極層の電極パターンが少なくとも前記凹部溝に沿って形成されていることを特徴とする。
【００１９】
また、漂白処理状態の前記突き板の表面に前記木目印刷層を設けたことを特徴とする。
【発明の効果】
【００２０】
この構成によれば、光源層から出射した光が、遮蔽層の透光部を通過して突き板の背面に照射されるため、光源層からの光がある場合には、突き板を透過した光で突き板の表面に表示しようとするマークを表示できる。光源層からの光が無い場合には、突き板の表面などの木目を確認できるがマークが表示されない。
【００２１】
そのため、車載表示機器、家電表示機器などの表示部品などにおいて、スモーク色やハーフミラーなどでしか表現出来なかった点灯時に表示部が浮かび上がる表示デザインが木の突き板外観で演出可能になる。
【図面の簡単な説明】
【００２２】
【図１】本発明の実施の形態１における表示装置の（ａ）正面図と（ｂ）Ａ−Ａ断面図
【図２】同実施の形態の（ａ）（ｂ）（ｃ）動作説明図
【図３】本発明の実施の形態２における表示装置の（ａ）正面図と（ｂ）Ｂ−Ｂ断面図
【図４】同実施の形態の（ａ）（ｂ）（ｃ）動作説明図
【図５】本発明の実施の形態３における表示装置の（ａ）正面図と（ｂ）Ｃ−Ｃ断面図
【図６】同実施の形態の（ａ）（ｂ）（ｃ）動作説明図
【図７】本発明の実施の形態４における表示装置の（ａ）正面図と（ｂ）Ｄ−Ｄ断面図
【図８】同実施の形態の（ａ）（ｂ）（ｃ）動作説明図
【図９】特許文献１の表示装置の分解斜視図
【図１０】特許文献２に表示装置の（ａ）断面図と（ｂ）正面図
【発明を実施するための形態】
【００２３】
以下、本発明を各実施の形態に基づいて説明する。
【００２４】
なお、同様の作用を成すものには同じ符号を付けて説明する。
【００２５】
（実施の形態１）
図１（ａ）（ｂ）と図２（ａ）〜（ｃ）は本発明の実施の形態１を示す。
【００２６】
これは、オーディオ、エアコン等の各種車載機器の操作状態表示や操作をするための操作入力装置が設けられている表示装置で、突き板１の裏面に密着層２を介して隠蔽層３が張り合わされている。隠蔽層３の密着層２とは反対側の面には、接着層４を介して樹脂などで構成した補強層５がインサート成形で接合されている。
【００２７】
突き板１は、表面側は白系の自然木で光透過率５０％以上、８０％以下で厚み０．１ｍｍ以上、０．５ｍｍ以下のスライス板材で、その表面には自然木自体の凹凸を有している。突き板１の表面には、２μｍ以上２０μｍ以下の膜厚で模様が木目調の光透過性の木目印刷層６の印刷が施されている。この木目印刷層６の膜厚は、利用者が木目印刷層６の表面を触ることで突き板１の表面の凹凸の触感が残っている厚さである。ここで木目調には、木目の印刷や木の風合い印刷を含んでいる。
【００２８】
密着層２は、光透過性のある不織布やフィルムなどにより形成されており、突き板１と下地部材接合している。
【００２９】
隠蔽層３は、一部に透光部７ａ，７ｂ，７ｃが形成され透光部を除いては光が透過しない遮光材で形成されている。
【００３０】
接着層４は、光透過性の接着剤で形成されている。
【００３１】
補強層５は、光透過性の樹脂で形成されている。
【００３２】
補強層５の接着層４とは反対側の面には、ＬＥＤ（発光ダイオード）光源８ａ，８ｂ，８ｃが実装された基板９が配置されている。ＬＥＤ光源８ａ，８ｂ，８ｃの間隔は、隠蔽層３の透光部７ａ，７ｂ，７ｃと同じ間隔に構成されている。ＬＥＤ光源８ａ，８ｂ，８ｃの周囲には、光が漏れないようにそれぞれ遮蔽板１０で取り囲まれている。ＬＥＤ光源８ａ，８ｂ，８ｃと基板９と遮蔽板１０とで光源層２４ａを構成している。
【００３３】
また、基板９の大きさは、図１（ａ）に示すように突き板１よりも大きくて、基板９の一部が突き板１から飛び出している。
【００３４】
ＬＥＤ光源８ａを点灯させると、隠蔽層３の透光部７ａと、突き板１と、木目印刷層６を透過して、木目印刷層６の表面に表示領域を示すマーク１１ａが表示される。透光部７ａがマーク１１ａの形状に光を透過させる。
【００３５】
ＬＥＤ光源８ｂを点灯させると、隠蔽層３の透光部７ａと、突き板１と、木目印刷層６を透過して、木目印刷層６の表面に表示領域を示すマーク１１ｂが表示される。透光部７ｂがマーク１１ｂの形状に光を透過させる。
【００３６】
ＬＥＤ光源８ｃを点灯させると、隠蔽層３の透光部７ａと、突き板１と、木目印刷層６を透過して、木目印刷層６の表面に表示領域を示すマーク１１ｃが表示される。透光部７ｃがマーク１１ｃの形状に光を透過させる。
【００３７】
ＬＥＤ光源８ａ，８ｂ，８ｃとして、青色、赤色、緑色（光の三原色）の発光ダイオードチップを単一パッケージに内蔵したものを用いることで色の変化などが容易にコントロール可能となるフルカラーを表現できる。
【００３８】
また、図１（ａ）に示すように基板９の上には、木目印刷層６に表示されるマーク１１ａ，１１ｂ，１１ｃの位置に対応して、操作スイッチ１２ａ，１２ｂ，１２ｃが実装されている。
【００３９】
なお、木目印刷層６の膜厚が２０μｍ以上になると、光透過率が低下してマーク１１ａ，１１ｂ，１１ｃの点灯時の精細性が悪くなる。また突き板１の表面の凹凸感が失われ自然木の持つ触感が低減してしまう。
【００４０】
ＬＥＤ光源８ａ，８ｂ，８ｃの全ての消灯時は、正面から見た場合に図２（ａ）のように突き板１の上に印刷された木目柄がわかるのみで車内の内装の一部としか認識できない。
【００４１】
使用される突き板１は、自然木であるので表面に印刷を実施してもその印刷表面に自然木の表面凹凸が形成され本物素材を使用している触感が得られる。また白系で肉厚が０．１ｍｍ以上０．５ｍｍ以下の透過率が５０％以上、８０％以下の突き板を使用することで表面に印刷する木目や色などを濃い色のデザイン表現も可能になり、通常では、光透過が難しい樹種の色でも、点灯時に透過光によって表示されて浮かび上がるようなライティング演出が可能となる。
【００４２】
自然木の肉厚は、０．１ｍｍ以下になると樹種によっては、繊維厚み以下になり板としての状態で扱いにくく、０．５ｍｍを超えると光透過率の点で不利になってしまう。
【００４３】
木目印刷層６については、使用する突き板１の樹種と同じ木目印刷である場合、使用する突き板１の樹種とは異なる木目印刷である場合、木目は印刷せずにただ木の色を付けるにとどめる場合がある。また本物の触感や見た目を追求する場合は、木目印刷層６の印刷なしでの構成も考えられる。
【００４４】
木目印刷層６を設ける場合に、耐候性を良くする場合は、木目印刷層６の上にハードコートなどの印刷を付与させても良い。
【００４５】
木目印刷層６を設けない場合には、耐候性を良くする場合は、突き板１の上にハードコートなどの印刷を付与させても良い。
【００４６】
突き板１は、自然木をそのまま使用しても良いが、自然木の色成分を漂白などして一度抜いた上で木目印刷層６を調整実施することにより、色バラツキなどが抑えた均質な製品を提供できる。
【００４７】
木目印刷層６や隠蔽層３の印刷は、インクジェットやスクリーン印刷などを用いると良い。図１（ｂ）において補強層５は、インサート成形による樹脂で構成している状態を示しているが、樹脂板やガラス板など光透過性と強度を持つ部材であれば接着層４による接合で表示部材とする構成でも良い。補強層５の樹脂材料として使用可能な樹脂としては、ＰＣ樹脂、ＰＭＭＡ樹脂、ＡＢＳ樹脂、ＰＳ樹脂、ポリオレフィン系樹脂などの汎用成形樹脂が挙げることができる。また、インサート成形を用いず接着などを用いる場合は、光学用途の樹脂やスーパーエンジニアリング樹脂など高温で成形が必要な樹脂にも対応可能である。
【００４８】
このように構成したため、表示装置と別にあるメインスイッチ（例えば車のイグニッションキー）が入力されるまでは、表示装置の表面には、図２（ａ）に示すように、自然木の外観のみでマーク１１ａ，１１ｂ，１１ｃの何れも表示されない。
【００４９】
メインスイッチが入力されると、表示装置の表面には、図２（ｂ）に示すように、マーク１１ａ，１１ｂ，１１ｃが透過光によって表示される。
【００５０】
これを確認した利用者が、下部にある操作スイッチ１２ｃを操作すると、操作を検出した操作スイッチ１２ｃに対応したマーク１１ｃの色が図２（ｃ）に示すように変化などして操作状態を表示することが可能となる。
【００５１】
このように消灯時は突き板表面触感と外観のみの意匠性の高い内装が、点灯により一変して表示部が現れるため、利用者に驚きを与えるような演出が可能となる。
【００５２】
この実施の形態ではＬＥＤ光源８ａ，８ｂ，８ｃを光源層として設けたが、その他の光源のバックライトを光源層とすることもできる。
【００５３】
（実施の形態２）
図３と図４は、本発明の実施の形態２を示す。
【００５４】
この実施の形態２は、表示したいマークとしてキャラクタの７セグメント文字を表示する表示装置である。実施の形態１のような構成で７セグメント文字などの狭ピッチでＬＥＤを配置して表示する場合、隣り合うＬＥＤの散乱光が透明な補強層５を伝播し表示したくないセグメントまで照らしてしまうことがある。そこで実施の形態１の補強層５は光透過性と補強機能のみの単一材質のブロックであったが、この実施の形態２の補強層５Ａは、内側に孔１３が形成された枠体１４と、孔１３に配置されたインサートブロック１５で構成し、インサートブロック１５には７セグメント文字のセグメント一つ一つに対応した導光路１６を持たせることで解像度の高い７セグメント表示している。導光路１６を持つインサートブロック１５は、２色成形やインサート成形工法などで製造できる。
【００５５】
また、実施の形態２における隠蔽層３の透光部７ａ，７ｂ，７ｃは、７セグメント文字のセグメント一つ一つに対応した導光路１６の端面に対応して形成されている。
【００５６】
木目印刷層６の表面に７セグメント文字１７ａ，１７ｂ，１７ｃを表示させる場合、図３（ｂ）の透光部７ａ，７ｂ，７ｃは、それぞれ７セグメント文字１７ａ，１７ｂ，１７ｃのセグメント１８ａ，１８ｂ，１８ｃに対応している。
【００５７】
７セグメント文字のセグメントのようにＬＥＤを狭ピッチで配置して表示する場合、隣り合うＬＥＤの散乱光が透明な補強層５を伝播し表示したくないセグメントまで照らしてしまうことがある。そこでセグメント一つ一つに対応した導光路を持たせることで解像度の高い７セグメント表示が可能になる。
【００５８】
この場合のインサートブロック１５は、枠体１４と同じ厚みが必要で、インサートブロック１５の下部には、７セグメント文字１７ａ，１７ｂ，１７ｃに対応して基板９上にＬＥＤ光源８ａ，８ｂ，８ｃ，・・・が設けられている。
【００５９】
実施の形態２では、図３（ａ）に図示したように基板９で、７セグメント文字１７ａ，１７ｂ，１７ｃの下方位置に、２つの操作スイッチ１２ｄ，１２ｅが実装されている。
【００６０】
このように構成したため、表示装置と別にあるメインスイッチ（例えば車のイグニッションキー）が入力されるまでは、表示装置の木目印刷層６の表面には、図４（ａ）に示すように、自然木の外観のみでマークとしての７セグメント文字１７ａ，１７ｂ，１７ｃの何れも表示されない。
【００６１】
メインスイッチが入力されると、表示装置の木目印刷層６の表面には、図４（ｂ）に示すように、７セグメント文字１７ａ，１７ｂ，１７ｃにより温度設定等の文字情報が透過光によって表示される。
【００６２】
これを確認した利用者が、操作スイッチ１２ｄまたは１２ｅを操作すると、図４（ｃ）に示すように利用者の入力に対応し温度設定などの文字情報表示が増減変化する。このように消灯時は突き板表面触感と外観のみの意匠性の高い内装が点灯により一変して表示部が現れるため利用者に驚きを与えるような演出が可能となる。
【００６３】
この実施の形態２では、操作状態表示や操作をするための操作入力装置が設けられているエアコン等の各種車載機器の表示装置の場合を例に挙げて説明したが、オーディオ等の各種車載機器の表示装置の場合も同様である。
【００６４】
（実施の形態３）
図５と図６は、本発明の実施の形態３を示す。
【００６５】
この実施の形態３は、利用者が突き板１に接近したことを静電容量値の変化から検出する場合に必要な電極パターン１９ａ，１９ｂ，１９ｃが、突き板１の背面側に設けられている点と、実施の形態１に設けられていた操作スイッチ１２ａ，１２ｂ，１２ｃが設けられていない点が、実施の形態１とは異なる。
【００６６】
具体的には、突き板１の背面側に設けられている隠蔽層３と接着層４の間に、電極パターン１９ａ，１９ｂ，１９ｃを有する検出電極層２０が、耐水層２１を介して隠蔽層３に貼り合わせられている。
【００６７】
耐水層２１は、レジストなどで構成されており、突き板１の水分や湿度の影響がＡＧペーストなどで印刷された電極パターン１９ａ，１９ｂ，１９ｃに影響しないようにすることを目的として設けられている。
【００６８】
また、電極パターン１９ａ，１９ｂ，１９ｃの平面形状は次の通りである。
【００６９】
電極パターン１９ａは、マーク１１ａの位置に対応して図５（ａ）に示すように木目印刷層６を正面から見たときに、マーク１１ａを取り囲む環状になるように検出電極層２０に形成されている。電極パターン１９ｂは、マーク１１ｂの位置に対応して図５（ａ）に示すように木目印刷層６を正面から見たときに、マーク１１ｂを取り囲む環状になるように検出電極層２０に形成されている。電極パターン１９ｃは、マーク１１ｃの位置に対応して図５（ａ）に示すように木目印刷層６を正面から見たときに、マーク１１ｃを取り囲む環状になるように検出電極層２０に形成されている。
【００７０】
このように構成したため、表示装置と別にあるメインスイッチ（例えば車のイグニッションキー）が入力されるまでは、表示装置の木目印刷層６の表面には、図６（ａ）に示すように、自然木の外観のみでマーク１１ａ，１１ｂ，１１ｃの何れも表示されない。
【００７１】
メインスイッチが入力されると、表示装置の木目印刷層６の表面には、図６（ｂ）に示すように、マーク１１ａ，１１ｂ，１１ｃが透過光によって表示される。
【００７２】
これを確認した利用者が、操作スイッチ１２ｅを操作しようと指を、例えばマーク１１ｃに接近させると、電極パターン１９ｃとの間の静電容量値の変化から検出して、ＬＥＤ光源８ｃの発光色を切り替えることで、図６（ｃ）に示すように木目印刷層６の表面に表示させるマーク１１ｃの色などが変化して操作状態を表示することが可能となる。
【００７３】
このように消灯時は突き板表面触感と外観のみの意匠性の高い内装が点灯により一変して表示部が現れるため利用者に驚きを与えるような演出が可能でさらに表示部自体を触ることにより位置情報が信号出力することが出来るスイッチ機能も意匠面での差別化が可能となる。
【００７４】
なお、突き板１に残存する水分による電極パターン１９ａ，１９ｂ，１９ｃへのアタックを耐水層２１により阻止できるため、マイグレーションなどの不良発生を防いで長期にわたって信頼性を確保できる。
【００７５】
（実施の形態４）
図７は、本発明の実施の形態４を示す。
【００７６】
実施の形態２では、操作スイッチ１２ｄ，１２ｅの操作を検出して７セグメント文字の表示をアップ／ダウンするように構成した。また、実施の形態３では、操作スイッチ１２ｄ，１２ｅを設けずに、電極パターンを突き板１の背面側に配置して利用者の操作を検出した。この実施の形態４では、表示装置の操作パネル上で利用者が指をスライドさせた入力操作を検出して、例えば、温度設定値や音響機器の出力音量設定値などをアップ／ダウンする場合に好適な構成を説明する。
【００７７】
この実施の形態４では、図７（ａ）に示すように設定値を表示する７セグメント文字１７の表示位置の周囲に、環状の凹部溝２２が形成されている。この凹部溝２２は、突き板１の表面に設けた環状の凹部２３の表面に木目印刷層６を形成して構成されている。木目印刷層６と突き板１の材質と光透過性は、何れも実施の形態１と同じである。
【００７８】
突き板１の背面には、密着層２，隠蔽層３，検出電極層２０，耐水層２１，接着層４を介して補強層５に張り合わされている。補強層５の接着層４と反対側には、光源層２４ｂが配置されている。光源層２４ｂは、７セグメント文字表示用の複数のＬＥＤ光源８ａと、凹部溝２２を照明するよう基板９に間隔を空けて環状に実装された複数のＬＥＤ光源８ｄ・・・とで構成されている。
【００７９】
なお、検出電極層２０は、凹部溝２２の底部に利用者が指を近付け、凹部溝２２に沿って指をスライドさせた場合に、利用者の指の時々の近接中の座標を検出できるよう電極パターンがマトリクス状に形成された静電容量式の入力装置で、凹部溝２２に沿って電極パターンが少なくとも形成されている必要がある。
【００８０】
このように構成したため、メインスイッチが入力されると、表示装置の木目印刷層６の表面には、図８（ａ）に示すように、設定値の文字情報がＬＥＤ光源８ａからの出射光によって透過照明された７セグメント文字１７によって表示される。詳しくは、ＬＥＤ光源８ａからの出射光が、導光路１６，接着層４，検出電極層２０，耐水層２１，隠蔽層３，密着層２，突き板１，木目印刷層６を通過した透過光によって表示される。
【００８１】
さらに、木目印刷層６の表面の凹部溝２２の初期位置２５ａが、ＬＥＤ光源８ｄからの出射光によって透過照明される。
【００８２】
これを確認した利用者が、凹部溝２２の底部に指を近接させて、さらに凹部溝２２でガイドされる、例えば矢印２６方向に指をスライドさせると、利用者の指の動きに追従して図８（ｂ）（ｃ）に示すようにスライドした軌跡の位置２５ｂ，２５ｃ，・・・が透過照明されるため、利用者は自身による設定値の変更操作が良好に受け付けられたことを認識できる。この利用者の操作に伴って、７セグメント文字１７による設定値が図８（ａ）〜（ｃ）に変更される。
【００８３】
このように利用者の指を接触状態でスライドさせたい場所に、窪んだ溝形状の凹部溝２２を形成することにより静電スイッチ動作の確実性を上げることができた。さらに、消灯時は突き板の表面触感と外観のみの意匠性の高い内装が点灯により一変して表示が現れるため利用者に驚きを与えるような演出が可能となる。
【００８４】
なお、この実施の形態では凹部溝２２を環状にしたが、円弧状や所定長さの直線にすることにより回動操作の入力表示だけで無く、スライドスイッチに見られるような直線操作の入力表示などを実現できる。
【００８５】
なお、上記の各実施の形態では複数のセグメントの組み合わせで記号，文字などのマークを表示する一例として、７セグメントの場合を例に挙げて説明したが、７セグメントに限定されない。
【産業上の利用可能性】
【００８６】
本発明の表示装置は、自然木の透過率の高いものの表面に木目や木の風合い印刷を施し裏面側に隠蔽層を構成することで消灯時は、木本来の表面の触感や見栄えを確保した表層部材として車載内装などに高意匠感を与え点灯時は、記号やサイン、その他マーク及び７セグメントなど情報文字などを出現させる驚きのあるデザインを提供することが可能となる。また、突き板裏面にＡＧ電極などで静電回路を構成することが出来、表示部に位置情報の信号出力機能を持たせてスイッチとしての機能も付与することが可能な表示装置の提供が可能となる。
【符号の説明】
【００８７】
１    突き板
２    密着層
３    隠蔽層
４    接着層
５，５Ａ    補強層
６    木目印刷層
７ａ，７ｂ，７ｃ    透光部
８ａ，８ｂ，８ｃ，８ｄ    ＬＥＤ光源
９    基板
１０    遮蔽板
１１ａ，１１ｂ，１１ｃ    マーク
１２ａ，１２ｂ，１２ｃ，１２ｄ，１２ｅ    操作スイッチ
１３    孔
１４    枠体
１５    インサートブロック
１６    導光路
１７，１７ａ，１７ｂ，１７ｃ    ７セグメント文字
１８ａ，１８ｂ，１８ｃ    セグメント
１９，１９ａ，１９ｂ，１９ｃ    電極パターン
２０    検出電極層
２１    耐水層
２２  凹部溝
２３    突き板の凹部
２４ａ，２４ｂ    光源層
２５a   凹部溝２２の初期位置
【図１】
2018190668.tif 000003
【図２】
2018190668.tif 000004
【図３】
2018190668.tif 000005
【図４】
2018190668.tif 000006
【図５】
2018190668.tif 000007
【図６】
2018190668.tif 000008
【図７】
2018190668.tif 000009
【図８】
2018190668.tif 000010
【図９】
2018190668.tif 000011
【図１０】
2018190668.tif 000012